(57)【要約】【課題】操作性を向上させ得る光学情報読取装置を提供する。【解決手段】バーコードリーダ１０では、ベルト３０を含めた裏面１０ｂ側の最大外形寸法で裏面１０ｂからベルト３０の厚さγ方向の高さ寸法βを超える長さγに設定されるプロテクタ１８、１９と読取口ハウジング１２を、長さ方向に立ててキースイッチ２１，２２，２３，２４，２５，２６の裏面を囲むようにバーコードリーダ１０の裏面１０ｂに設ける。これにより、バーコードリーダ１０を、平坦面Ｇに表向きに置いた場合には、ベルト３０の厚さ方向の高さ寸法βを超える長さγに設定される読取口下端部１２ｄ、プロテクタ１８、１９が、平坦面に接触してバーコードリーダ１０を支持する。したがって、ベルト３０を裏面１０ｂに設けても、読取口ハウジング１２、プロテクタ１８、１９によりバーコードリーダ１０を確実に支えるので、キースイッチ２１等の操作性を向上できる。【選択図】図３
2007109047.tif 000002
【特許請求の範囲】
【請求項１】
読取対象の光学情報や当該光学情報読取装置の操作に関する情報を入力可能に当該装置本体の表面に設けられるキースイッチと、前記装置本体の裏面に沿って設けられ前記装置本体を前記裏面から把持する者の手を前記裏面と間で挟込可能なベルトと、を備えた光学情報読取装置であって、
前記ベルトを含めた前記装置本体の裏面側の最大外形寸法で前記裏面から前記ベルトの厚さ方向の高さ寸法を超える長さに設定される支持部を、当該長さ方向に立てて前記キースイッチの裏面を囲むように前記装置本体の裏面に４箇所以上に設けることを特徴とする光学情報読取装置。
【請求項２】
前記装置本体の一端側に前記裏面方向に前傾して設けられる読取口形成部に、前記読取対象から到来する入射光が入射可能な読取口を形成した請求項１記載の光学情報読取装置であって、
前記ベルトを含めた前記装置本体の裏面側の最大外形寸法で前記裏面から前記ベルトの厚さ方向の高さが、前記読取口形成部の所定部位により定まる場合、
前記読取口形成部の所定部位は、前記一端側に設けられるべき前記支持部に代わって前記支持部として機能することを特徴とする光学情報読取装置。
【請求項３】
前記支持部は、前記ベルトの少なくとも一端側もしくは他端側を直接的または間接的に前記裏面に固定することを特徴とする請求項１または２に記載の光学情報読取装置。
【発明の詳細な説明】
【技術分野】
【０００１】
本発明は、表面にキースイッチ、裏面にベルトがそれぞれ設けられている光学情報読取装置に関するものである。
【背景技術】
【０００２】
従来より、装置本体の表面にキースイッチが設けられるとともに、当該装置本体の裏面に沿ってベルトが設けられる光学情報読取装置として、例えば、下記特許文献１に開示されるものがある。
【０００３】
この特許文献１に開示される「光学的情報読取り装置」では、同文献中の図３に示されるように、当該装置底面（装置本体の裏面）に装置の長手方向に沿ってベルト(99)を設けている。例えば、当該装置を操作する者は、一方の手をベルト(99)に差し込んで当該装置を掌で包むようにして底面（裏面）から当該装置を把持することで、他方の手で当該装置の表面の操作パネル(19)を操作することが可能になる。これにより、当該装置を把持する手が緩んだり滑ったりしても当該装置が手から放れないようにして当該装置を落とし難くしている。
【０００４】
【特許文献１】特開平６−２３６４５２号公報（段落番号０１０６，図３）
【発明の開示】
【発明が解決しようとする課題】
【０００５】
しかしながら、このような特許文献１の開示技術によると、当該装置底面（裏面）には、ベルト(99)のほかには当該装置底面から突出する突起物は、特に設けられていない。このため、例えば、作業台や事務机等の平坦面に当該装置を表向きに置いた場合には、このような平坦面に対し、当該装置は、その長手方向にほぼ直線状に延びるベルト(99)によって支えられることになる。このように長手方向に直線状に裏面で支えられる当該装置を、その表面の操作パネル(19)で操作した場合には、当該ベルト(99)を中心に当該装置の短手（幅）方向に揺れ動く可能性が高いことから、当該操作に際しキースイッチを押す度ごとに幅方向にグラグラと揺れキースイッチを押し難くするという問題がある。
【０００６】
なお、当該装置の読取り口(14)が開口するヘッド部(11)は、当該装置底面（裏面）の方向に前傾する「首曲がり形状」をなすように形成されている。そのため、このような「首曲がり形状」を持つ当該装置は、そのように曲がったヘッド部を持たない、いわゆるストレートタイプの光学情報読取装置に比べると、当該装置を平坦面に載置した場合、このヘッド部(11)の読取り口(14)の下端部分が当該平坦面に対する短手（幅）方向に延びる支えとなる分、幅方向のグラつきは少ない。
【０００７】
ところが、当該装置全体からすると、短手方向に比べて長手方向に長く延びる装置本体をその読取口側（一端側）で短手（幅）方向に支えたとしても、その反対側（他端側）では短手（幅）方向の支えが殆どないことになる。つまり、当該装置の読取口側（一端側）を上方、その反対側（他端側）を下方、とした場合、平坦面に対する支えは、「Ｔ字状」になり、しかも操作パネル(19)は、短手（幅）方向の支えが少ない「Ｔ字状」の下方寄りに位置する。
【０００８】
このため、たとえ「首曲がり形状」をなすヘッド部(11)を備えていても、当該装置を平坦面上に置いた状態では、操作パネル(19)の操作時における当該装置のグラつきを抑制し難い。したがって、例えば、当該装置を事務机に載置して操作パネル(19)からデータ入力等をしようとした場合、キースイッチを押す手とは別の手で当該装置を抑えながら、操作パネル(19)を操作する必要が生じたり、またこのような机や台が身近に存在するにもかかわらず、わざわざ当該装置を把持しながら操作パネル(19)を操作するといった、甚だ操作性の悪いものになってしまうという問題がある。
【０００９】
本発明は、上述した課題を解決するためになされたものであり、その目的とするところは、操作性を向上させ得る光学情報読取装置を提供することにある。
【課題を解決するための手段】
【００１０】
上記目的を達成するため、特許請求の範囲に記載の請求項１の光学情報読取装置では、読取対象の光学情報や当該光学情報読取装置の操作に関する情報を入力可能に当該装置本体の表面に設けられるキースイッチと、前記装置本体の裏面に沿って設けられ前記装置本体を前記裏面から把持する者の手を前記裏面と間で挟込可能なベルトと、を備えた光学情報読取装置であって、前記ベルトを含めた前記装置本体の裏面側の最大外形寸法で前記裏面から前記ベルトの厚さ方向の高さ寸法を超える長さに設定される支持部を、当該長さ方向に立てて前記キースイッチの裏面を囲むように前記装置本体の裏面に４箇所以上に設けることを技術的特徴とする。
【００１１】
なお、「情報コード」とは、１次元コード（ＥＡＮ／ＵＰＣ、インターリーブド２オブ５、コーダバー、コード３９／１２８、スタンダード２オブ５、ＲＳＳ等）に限られず、２次元コード（ＱＲコード、ＰＤＦ４１７、データマトリックス、マキシコード、ＲＳＳコンポジット等）等の各種のコードシンボルを含む概念である。また、「最大外形寸法」とは、突起部を含めた当該装置本体の輪郭を包含するのに必要な矩形（長方形、正方形）の最小寸法のことである（以下同じ）。
【００１２】
特許請求の範囲に記載の請求項２の光学情報読取装置では、前記装置本体の一端側に前記裏面方向に前傾して設けられる読取口形成部に、前記読取対象から到来する入射光が入射可能な読取口を形成した請求項１記載の光学情報読取装置であって、前記ベルトを含めた前記装置本体の裏面側の最大外形寸法で前記裏面から前記ベルトの厚さ方向の高さが、前記読取口形成部の所定部位により定まる場合、前記読取口形成部の所定部位は、前記一端側に設けられるべき前記支持部に代わって前記支持部として機能することを技術的特徴とする。
【００１３】
特許請求の範囲に記載の請求項３の光学情報読取装置では、請求項１または２に記載の光学情報読取装置において、前記支持部は、前記ベルトの少なくとも一端側もしくは他端側を直接的または間接的に前記裏面に固定することを特徴とする。
【発明の効果】
【００１４】
請求項１の発明では、ベルトを含めた装置本体の裏面側の最大外形寸法で裏面からベルトの厚さ方向の高さ寸法を超える長さに設定される支持部を、当該長さ方向に立ててキースイッチの裏面を囲むように装置本体の裏面に４箇所以上に設ける。これにより、当該装置を、例えば、作業台や事務机等の平坦面に表向きに置いた場合には、ベルトの厚さ方向の高さ寸法を超える長さに設定される支持部が、それよりも低いベルトやその他の突起物よりも先に当該平坦面に接触して当該装置を支持する。そして、このような支持部が４箇所以上に設けられ、これらにより囲まれた範囲内にキースイッチが位置するため、キースイッチを押すときに加えられる押圧力は、それを囲む４箇所以上の支持部を介して当該平坦面に伝わる。このため、キースイッチの操作時でも、これら４箇所以上の支持部によって当該装置を確実に支えることが可能になるので、当該装置を平坦面に載置した場合でも、キースイッチによる情報の入力操作を安定した状態で行うことが可能になる。したがって、このようなベルトを備えた当該装置の操作性を向上させることができる。
【００１５】
請求項２の発明では、ベルトを含めた装置本体の裏面側の最大外形寸法で裏面からベルトの厚さ方向の高さが、読取口形成部の所定部位により定まる場合、読取口形成部の所定部位は、一端側に設けられるべき支持部に代わって支持部として機能する。したがって、このような読取口形成部が当該装置の一端に設けられている場合には、当該一端側には支持部を設けなくても、当該装置の操作性を向上させることができる。
【００１６】
請求項３の発明では、支持部は、ベルトの少なくとも一端側もしくは他端側を直接的または間接的に裏面に固定する。これにより、ベルトを当該装置の裏面に固定する固定部材を減らすことができたり、別途設ける必要がなくなるので、部品点数を削減できる。したがって、当該装置の操作性を向上させるとともに、当該装置の製造コストを低減させることができる。
【発明を実施するための最良の形態】
【００１７】
以下、本発明の光学情報読取装置をバーコードリーダに適用した各実施形態を図１〜図６に基づいて説明する。
［第１実施形態］
まず、本第１実施形態に係るバーコードリーダ１０の構成を図１および図２を参照して説明する。なお、図１は、バーコードリーダ１０を表面から見た平面図で、裏面に設けられる支持部とベルトの位置を表面から透視的に表している。また、図２は、バーコードリーダの外観構成を示す斜視図で、図１(A) には表面上方から見たもの、図１(B) には裏面下方から見たもの、がそれぞれ表されている。
【００１８】
図１および図２(A) に示すように、バーコードリーダ１０の表面１０ａの外観形状は、主に、本体ハウジング１１、液晶ディスプレイ１３、キーボード２０により構成されている。即ち、本体ハウジング１１の一端側１１ａには、液晶ディスプレイ１３が取り付けられており、また本体ハウジング１１の他端側１１ｂには、各種のキースイッチを所定位置に配置するキーボード２０が設けられている。また、本体ハウジング１１のほぼ中央側面には、照射光を照射する際に押圧されるトリガースイッチ１７が設けられている。
【００１９】
一方、バーコードリーダ１０の裏面１０ｂは、図２(B) に示すように、主に、本体ハウジング１１、読取口１２ａ、プロテクタ１８、１９、ベルト３０等によってその外観形状が構成されている。即ち、本体ハウジング１１の一端側１１ａには、読取口１２ａを有する読取口ハウジング１２が取り付けられており、また本体ハウジング１１の他端側１１ｂには、その隅に、当該バーコードリーダ１０が落下等したときに受ける衝撃を緩和可能なプロテクタ１８、１９が取り付けられている。さらに、裏面１０ｂには、その裏面１０ｂに沿って帯状のベルト３０が設けられている。
【００２０】
読取口ハウジング１２は、バーコードリーダ１０の裏面１０ｂの方向に前傾するように「首曲がり形状」をなしており、バーコード等に反射した反射光（入射光）が入射可能な読取口１２ａを形成するものである。本実施形態では、この読取口ハウジング１２は、単に読取口１２ａを形成するだけでなく、読取口１２ａを形成する周縁部のうち読取口下端部１２ｄが、裏面１０ｂに取り付けられるベルト３０の厚さ方向に最も突出するように、構成されている。これにより、当該読取口下端部１２ｄは、後述するように、支持部としても機能する。なお、読取口ハウジング１２や前述した本体ハウジング１１は、例えば、いずれもＡＢＳ樹脂等の合成樹脂からなる成形部品である。
【００２１】
プロテクタ１８、１９は、例えば、エラストマーや天然ゴムからなる成形部品で、前述したように、本体ハウジング１１の他端側１１ｂの両隅を覆うように、設けられている。これらのプロテクタ１８、１９は、本来、落下等によって外部から受ける衝撃を吸収したり緩和する役割を有するが、本実施形態では、その高さ方向の長さを大きく設定することにより、裏面１０ｂに取り付けられるベルト３０の厚さよりも、当該厚さ方向に突出するように、構成されている。これにより、当該プロテクタ１８、１９の下端部１８ａ、１９ａは、後述するように、それぞれ支持部としても機能する。
【００２２】
また、本実施形態では、プロテクタ１８、１９は、棒状のベルト通し３２の両端を固定可能に構成することで、ベルト３０を間接的に本体ハウジング１１に取り付け可能にしている。即ち、ベルト通し３２の一端側をプロテクタ１８の図略の孔に、またベルト通し３２の他端側をプロテクタ１９の図略の孔に、それぞれ差し込んで、プロテクタ１８、１９で当該ベルト通し３２の両端を挟み込んだ状態で、これらプロテクタ１８、１９を本体ハウジング１１に固定する。これにより、ベルト通し３２は、その両端をプロテクタ１８、１９を介して本体ハウジング１１に取り付けられるので、このようなベルト通し３２に通されたベルト３０は、間接的に本体ハウジング１１に取り付け可能となる。
【００２３】
キーボード２０は、バーコード等の情報コードに関する情報や当該バーコードリーダ１０の操作に関する情報を入力可能にする各種のキースイッチを所定位置に配置するもので、例えば、電源スイッチ２１、数字・記号キー２２、エンターキー２３、方向キー２４、トリガーキー２５、ファンクションキー２６等々を整列配置可能に保持している。これらのキースイッチは、いずれも本体ハウジング１１内に収容される図略のプリント配線板に電気的に接続されており、後述するマイクロコンピュータ（以下「マイコン」という）等にオンオフ情報を出力し得るように構成されている。なお、キーボード２０全体の配置は、後述するように、支持部として機能する、読取口ハウジング１２の読取口下端部１２ｄ、プロテクタ１８の下端部１８ａおよびプロテクタ１９の下端部１９ａによって囲まれる範囲内に位置するように設定されている。
【００２４】
ベルト３０は、例えば、合成繊維からなる帯状の部材で、その幅は、当該バーコードリーダ１０を裏面１０ｂから把持する操作者の手を裏面１０ｂとの間で挟込可能な程度に設定されている。このベルト３０の一端側には止め金具３１が固定されており、止め金具３１を介して本体ハウジング１１に形成されたベルト取付部１４に固定されている。これに対し、当該ベルト３０の他端側には、一端側と着脱自在の布製のテープが取り付けられている。これにより、当該ベルト３０の他端側を、プロテクタ１８、１９に固定されたベルト通し３２に通して当該ベルト３０の一端側に折り返すことで、布製のテープを介して当該一端側に係着することが可能となる。なお、この布製のテープによる一端側と他端側との係着は、その係着位置を変更することができるように構成されているため、この位置を変更することによって、当該ベルト３０と裏面１０ｂとの間に形成される隙間、つまり操作者の手が入る間隔を調整することができる。
【００２５】
なお、このバーコードリーダ１０は、図示されてはいないが、本体ハウジング１１内に、照射光を発光可能な光源と、バーコード等の情報コードにこの照射光が照射し反射した反射光を読取口１２ａを介して受光可能な受光素子と、この反射光を集光して受光素子の受光面に情報コードの像を結像可能な結像光学系と、受光素子から出力される画像信号をデコード可能なマイコンと、等々の回路部品や光学部品を実装したプリント配線板を収容しており、例えば、読み取ったバーコードによるコード情報を液晶ディスプレイ１３に表示したり、図略の赤外線や無線による通信インタフェースを介して外部に出力し得るように構成されている。
【００２６】
次に、読取口ハウジング１２の読取口下端部１２ｄ、プロテクタ１８、１９の下端部１８ａ、１９ａにより囲まれる範囲等について、図３を参照して説明する。なお、図３(A) には、バーコードリーダ１０を幅方向側面から見た裏面側の最大外形寸法が、また図３(B) には当該範囲が、それぞれ図示されている。
【００２７】
図３(A) に示すように、バーコードリーダ１０を幅方向側面から見た最大外形寸法は、当該バーコードリーダ１０を平坦面Ｇに載置した状態における当該平坦面Ｇの水平方向の長さＬと、当該平坦面Ｇから垂直方向の高さＨと、により表される。また、この垂直方向の高さＨのうち、当該平坦面Ｇからバーコードリーダ１０の裏面１０ｂまでの高さの最大値が、バーコードリーダ１０の裏面１０ｂ側の最大外形寸法となる。
【００２８】
このため、本実施形態では、前述したように、読取口ハウジング１２の読取口下端部１２ｄが最も裏面１０ｂ側に突出しているので、この読取口下端部１２ｄの突出量αがバーコードリーダ１０の裏面１０ｂ側の最大外形寸法となる。これに対し、プロテクタ１８、１９は、前述したように、ベルト３０の厚さγ方向の高さβを超える長さに設定されているので、読取口下端部１２ｄよりは突出量δが小さいものの、ベルト３０よりは裏面１０ｂ側に突出しているので、プロテクタ１８、１９は、読取口下端部１２ｄとともに当該バーコードリーダ１０を支持することが可能となる。つまり、読取口ハウジング１２の読取口下端部１２ｄおよびプロテクタ１８、１９の下端部１８ａ、１９ａは、それぞれ支持部として機能し得る。
【００２９】
一方、このように支持部として機能し得る読取口ハウジング１２の読取口下端部１２ｄおよびプロテクタ１８、１９の下端部１８ａ、１９ａは、キーボード２０を囲んでいる。即ち、読取口下端部１２ｄの一端側（図３(B) において紙面上側）と下端部１９ａとを結ぶ仮想線ｈ、下端部１９ａと下端部１８ａとを結ぶ仮想線ｉ、下端部１８ａと読取口下端部１２ｄの他端側（図３(B) において紙面下側）とを結ぶ仮想線ｊ、および読取口下端部１２ｄによって囲まれる範囲内（図３(B) に示す右上がり斜線部分）に、電源スイッチ２１、数字・記号キー２２、エンターキー２３、方向キー２４、トリガーキー２５、ファンクションキー２６等の各キースイッチを備えたキーボード２０が位置している。なお、図３(B) に示す各キースイッチ２１，２２，２３，２４，２５，２６は、それぞれキースイッチの裏面を示している。
【００３０】
これにより、バーコードリーダ１０の裏面１０ｂにベルト３０が取り付けられていても、これらのキースイッチを押すときに加えられる押圧力は、ベルト３０の存在に関係なく、キーボード２０（キースイッチ）を囲む読取口ハウジング１２、プロテクタ１８、１９（支持部）を介して当該平坦面Ｇに伝わる。このため、キースイッチの操作時でも、これら支持部によって当該バーコードリーダ１０を確実に支えることが可能になるので、当該バーコードリーダ１０を平坦面Ｇに載置した場合でも、キースイッチによる情報の入力操作を安定した状態で行うことが可能になる。
【００３１】
以上説明したように、本第１実施形態に係るバーコードリーダ１０では、ベルト３０を含めた裏面１０ｂ側の最大外形寸法で裏面１０ｂからベルト３０の厚さγ方向の高さ寸法βを超える長さγに設定されるプロテクタ１８、１９とこれらプロテクタ１８、１９に代わって支持部として機能する読取口ハウジング１２を、当該長さ方向に立ててキースイッチ２１，２２，２３，２４，２５，２６の裏面を囲むようにバーコードリーダ１０の裏面１０ｂに設ける。これにより、バーコードリーダ１０を、平坦面Ｇに表向きに置いた場合には、ベルト３０の厚さ方向の高さ寸法βを超える長さγに設定される読取口下端部１２ｄ、プロテクタ１８、１９が、平坦面に接触してバーコードリーダ１０を支持する。したがって、ベルト３０を裏面１０ｂに設けても、このベルト３０に邪魔されてグラつくようなことはなく、読取口ハウジング１２、プロテクタ１８、１９によりバーコードリーダ１０を確実に支えるので、キースイッチ２１等の操作性を向上させることができる。
【００３２】
［第２実施形態］
次に、本発明の第２実施形態を図３〜図５を参照して説明する。前述した第１実施形態のバーコードリーダ１０が読取口ハウジング１２を有するものであったのに対し、本第２実施形態に係るバーコードリーダ１０’は、「首曲がり形状」をなす読取口ハウジング１２を備えない、いわゆるストレートタイプのバーコードリーダである点が異なる。このため、第１実施形態のバーコードリーダ１０と実質的に同一の構成部分には、図４および図５において同一符号を付し、それらの説明を省略する。
【００３３】
図４および図５(A) に示すように、バーコードリーダ１０’では、本体ハウジング１１の一端側１１ａに読取口１１ａ’を有するとともに、図５(B) に示すように、突起部１１ｄ、１１ｅを有する。この突起部１１ｄ、１１ｅは、例えば、本体ハウジング１１と一体に成形されるもので、裏面１０ｂに取り付けられるベルト３０の厚さ方向にベルト３０の厚さ方向高さβよりも突出する高さ、例えばγように構成されている（図３(A) に示す読取口下端部１２ｄに相当する）。これにより、当該突起部１１ｄ、１１ｅは、支持部として機能する。
【００３４】
このように、本第２実施形態に係るバーコードリーダ１０’では、ベルト３０を含めた裏面１０ｂ側の最大外形寸法で裏面１０ｂからベルト３０の厚さγ方向の高さ寸法βを超える長さγに設定される突起部１１ｄ、１１ｅ、プロテクタ１８、１９を、当該長さ方向に立ててキースイッチ２１等の裏面を囲むようにバーコードリーダ１０の裏面１０ｂに４箇所に設ける。これにより、バーコードリーダ１０を、平坦面Ｇに表向きに置いた場合には、ベルト３０の厚さ方向の高さ寸法βを超える長さγに設定される突起部１１ｄ、１１ｅ、プロテクタ１８、１９が、平坦面に接触してバーコードリーダ１０を支持する。したがって、ベルト３０を裏面１０ｂに設けても、突起部１１ｄ、１１ｅ、プロテクタ１８、１９によりバーコードリーダ１０を確実に支えるので、キースイッチ２１等の操作性を向上させることができる。
【００３５】
なお、本発明のその他の実施形態として、例えば、図６(A) に示すように、バーコードハンディターミナルＢＨＴ（以下「ＢＨＴ」という）１の裏面の四隅に、ベルトＢＬＴの厚さ方向にベルトＢＬＴの厚さ方向高さで突出する支持部Ｗ１、Ｘ１、Ｙ１、Ｚ１を設けて、これらを結んだ仮想線ｈ１、ｉ１、ｊ１、ｋ１によってキースイッチＫＥＹを囲むように構成する。これにより、支持部Ｗ１、Ｘ１、Ｙ１、Ｚ１により囲まれる範囲内（図６(A) に示す右上がり斜線部分）にキースイッチＫＥＹが位置するので、ＢＨＴ１を確実に支えることができ、キースイッチＫＥＹの操作性を向上させることができる。なお、図６(A) 、図６(B) および図６(C) に示す符号ＤＳＰは液晶ディスプレイを示す。
【００３６】
また、例えば、図６(B) に示すように、ＢＨＴ２の裏面の各辺のほぼ中間に、ベルトＢＬＴの厚さ方向にベルトＢＬＴの厚さ方向高さで突出する支持部Ｗ２、Ｘ２、Ｙ２、Ｚ２を設け、これらを結んだ仮想線ｈ２、ｉ２、ｊ２、ｋ２によってキースイッチＫＥＹを囲むように構成しても良い。これにより、支持部Ｗ２、Ｘ２、Ｙ２、Ｚ２により囲まれる範囲内（図６(B) に示す右上がり斜線部分）にキースイッチＫＥＹが位置するので、ＢＨＴ２を確実に支えることができ、キースイッチＫＥＹの操作性を向上させることができる。
【００３７】
なお、キースイッチＫＥＹ’は、この範囲内から一部が逸脱するが、当該範囲を画定する仮想線ｈ２、ｉ２の近傍に位置するため、当該範囲内の他のキースイッチＫＥＹと同視できる。また、このように当該範囲から逸脱するスイッチＫＥＹ’には、例えば、電源スイッチ等のＢＨＴ２の動作中には使用される頻度が低いものを配置し、使用頻度の高い数字・記号キーやエンターキーを当該範囲内に配置することで、操作性を向上させることができる。
【００３８】
さらに、例えば、図６(C) に示すように、ＢＨＴ３の裏面の各辺に、ベルトＢＬＴの厚さ方向にベルトＢＬＴの厚さ方向高さで突出する支持部Ｕ３、Ｖ３、Ｗ３、Ｘ３、Ｙ３、Ｚ３を設けて、これらを結んだ仮想線ｈ３、ｉ３、ｊ３、ｋ３、ｍ３、ｎ３によってキースイッチＫＥＹを囲むように構成しても良い。これにより、支持部Ｕ３、Ｖ３、Ｗ３、Ｘ３、Ｙ３、Ｚ３により囲まれる範囲内（図６(C) に示す右上がり斜線部分）にキースイッチＫＥＹが位置するので、ＢＨＴ３を確実に支えることができ、キースイッチＫＥＹの操作性を向上させることができる。この図６(C) に示すＢＨＴ３では、その裏面周囲の６箇所に、支持部Ｕ３、Ｖ３、Ｗ３、Ｘ３、Ｙ３、Ｚ３を設けたが、５箇所あるいは７箇所以上にこのような支持部を設けても上述と同様の作用・効果を得ることができる。
【図面の簡単な説明】
【００３９】
【図１】本発明の第１実施形態に係るバーコードリーダを表面から見た平面図で、裏面に設けられる支持部とベルトの位置を表面から透視的に表したものである。
【図２】本発明の第１実施形態に係るバーコードリーダの外観構成を示す斜視図で、図１(A) は表面上方から見たもの、図１(B) は裏面下方から見たものである。
【図３】図３(A) は、本第１実施形態に係るバーコードリーダを幅方向側面から見た裏面側の最大外形寸法を示す説明図で、図３(B) は、本第１実施形態に係るバーコードリーダの、一端側に位置する読取口下端部と他端側に位置する２つのプロテクタの下端部とに囲まれる範囲を示す説明図である。
【図４】本発明の第２実施形態に係るバーコードリーダを表面から見た平面図で、裏面に設けられる支持部とベルトの位置を表面から透視的に表したものである。
【図５】本発明の第２実施形態に係るバーコードリーダの外観構成を示す斜視図で、図５(A) は表面上方から見たもの、図５(B) は裏面下方から見たものである。
【図６】本発明のその他の実施形態に係るバーコードリーダを表面から見た模式図で、裏面に設けられる支持部とベルトの位置を表面から透視的に表したものである。
【符号の説明】
【００４０】
１０…バーコードリーダ（光学情報読取装置）
１０ａ…表面（装置本体の表面）
１０ｂ…裏面（装置本体の裏面）
１１…本体ハウジング
１１ｄ、１１ｅ…突起部（支持部）
１２…読取口ハウジング（読取口形成部）
１２ａ…読取口
１２ｄ…読取口下端部（所定部位）
１８、１９…プロテクタ（支持部）
１８ａ、１９ａ…下端部
２１…電源スイッチ（キースイッチ）
２２…数字・記号キー（キースイッチ）
２３…エンターキー（キースイッチ）
２４…方向キー（キースイッチ）
２５…トリガーキー（キースイッチ）
２６…ファンクションキー（キースイッチ）
３０、ＢＬＴ１、ＢＬＴ２、ＢＬＴ３…ベルト
ＢＨＴ１、ＢＨＴ２、ＢＨＴ３…バーコードハンディターミナル（光学情報読取装置）
ＫＥＹ、ＫＥＹ’…キースイッチ
ｈ１、ｈ２、ｈ３、ｉ１、ｉ２、ｉ３、ｊ１、ｊ２、ｊ３、ｋ１、ｋ３、ｍ３、ｎ３…仮想線
Ｕ３、Ｖ３、Ｘ１、Ｘ２、Ｘ３、Ｙ１、Ｙ２、Ｙ３、Ｚ１、Ｚ２、Ｚ３…支持部
【図１】
2007109047.tif 000003
【図２】
2007109047.tif 000004
【図３】
2007109047.tif 000005
【図４】
2007109047.tif 000006
【図５】
2007109047.tif 000007
【図６】
2007109047.tif 000008